(57)【要約】【課題】  パチンコ球がパチンコ台の前面に配設される内面板に衝突したときに生じる衝突音を遊戯者である人間の耳の感度が敏感な範囲に対して有効に抑制できる防音合わせガラス及びこれを用いたパチンコ台を提供する。【解決手段】  外板１０と内板１１とを中間膜１２を介して貼り合わされ、小物体が衝突するところに用いられる合わせガラス８であって、パチンコ台の前面に配設される外面板７と内面板８とを有し、前記外板１０と内板１１のガラス厚さがそれぞれ１．０〜１．８ｍｍであり、前記中間膜厚１２が合わせ前の厚さで０．６１〜０．９１ｍｍであり、主として２．５ＫＨｚ〜６ＫＨｚの周波数の音を抑制する。【選択図】        図２
2005255459.tif 000002
【特許請求の範囲】
【請求項１】
外板と内板とを中間膜を介して貼り合わされ、小物体が衝突するところに用いられる合わせガラスであって、パチンコ台の前面に配設される外面板と内面板とを有し、
前記外板と内板のガラス厚さがそれぞれ１．０〜１．８ｍｍであり、
前記中間膜厚が合わせ前の厚さで０．６１〜０．９１ｍｍであり、
主として２．５ＫＨｚ〜６ＫＨｚの周波数の音を抑制することを特徴とする防音合わせガラス。
【請求項２】
前記中間膜は４ＫＨｚ付近の周波数の音を抑制することを特徴とする請求項１に記載の防音合わせガラス。
【請求項３】
請求項１、請求項２に記載した合わせガラスがパチンコ球と衝突する面に設置されたことを特徴とするパチンコ台。
【発明の詳細な説明】
【技術分野】
【０００１】
本発明は、パチンコ台用の前面板に使用される防音用合わせガラスであって、特にパチンコ球がガラス板に衝突して生じる衝突音を抑制するために用いる防音合わせガラス及びこれを用いたパチンコ台に関する。
【背景技術】
【０００２】
パチンコ台の前面に配設される前面板は、外面板と内面板の２種類のガラス板を枠体により保持して構成される。外面板は人間側、内面板は遊戯盤側に配置されている。これによりパチンコ球が内面板に衝突したときの衝突音の抑制を図っているが、これだけでは不十分であることが経験的に認められている。また、内面板の内側にフィルムを貼り付けたり、内面板を樹脂板にしたりして衝突音の抑制を図ることも提案されているが、いずれの場合もパチンコ球のはね返りの傾向が変わってしまい、好ましくない。
【０００３】
このようなガラス板とパチンコ球の衝突音を低減するために、内面板の振動を遊戯者側に伝播するのを抑えることとし、内面板を合わせガラスで構成したパチンコ機用前面板が特許文献１に記載されている。しかし、この特許文献１のパチンコ機用前面板を用いてもまだ衝突音の抑制は不十分である。なぜなら、後述するように人間は２ＫＨｚ〜５ＫＨｚ付近の周波数に対しての耳の感度が高いため、特許文献１が抑制しようとする６３００Ｈｚ付近の周波数帯域の騒音抑制は遊戯者が感じる騒音の抑制とは直接には結びつかないからである。
【０００４】
【特許文献１】特開平７−２４１２０号公報
【発明の開示】
【発明が解決しようとする課題】
【０００５】
本発明は、上記従来技術を考慮したものであり、パチンコ球がパチンコ台の前面に配設される内面板に衝突したときに生じる衝突音を遊戯者である人間の耳の感度が敏感な範囲に対して有効に抑制できる防音合わせガラス及びこれを用いたパチンコ台の提供を目的とする。
【課題を解決するための手段】
【０００６】
前記目的を達成するため、請求項１の発明では、外板と内板とを中間膜を介して貼り合わされ、小物体が衝突するところに用いられる合わせガラスであって、パチンコ台の前面に配設される外面板と内面板とを有し、前記外板と内板のガラス厚さがそれぞれ１．０〜１．８ｍｍであり、前記中間膜厚が合わせ前の厚さで０．６１〜０．９１ｍｍであり、主として２．５ＫＨｚ〜６ＫＨｚの周波数の音を抑制することを特徴とする防音合わせガラスを提供する。
【０００７】
請求項２の発明では、前記中間膜は４ＫＨｚ付近の周波数の音を抑制することを特徴としている。
【０００８】
さらに、請求項３の発明では、請求項１、請求項２に記載した合わせガラスがパチンコ球と衝突する面に設置されたことを特徴とするパチンコ台を提供する。
【発明の効果】
【０００９】
請求項１の発明によれば、内面板を構成する外板と内板のガラス板厚をそれぞれ１．０〜１．８ｍｍとして、中間膜が合わせ前の厚さで０．６１〜０．９１ｍｍ（２４ｍｉｌ〜３６ｍｉｌ）とすることにより、パチンコ球が内面板に衝突したときに生じる２．５ＫＨｚ〜６ＫＨｚの周波数の音を抑制することができるので、遊戯者の耳の感度が敏感な範囲に対しての遮音性を高めることができる。なお、ｍｉｌという単位は、１ｍｉｌは約０．０２５４ｍｍである。より好ましい中間膜厚は、合わせ前の厚さで０．６８〜０．８４ｍｍ（２７ｍｉｌ〜３３ｍｉｌ）である。
【００１０】
請求項２の発明によれば、人間が敏感な４ＫＨｚ付近の周波数の音を抑制するので、不快感を解消する上で特に有効である。
【００１１】
請求項３の発明によれば、パチンコ遊戯中に遊戯者である人間の耳の感度が敏感な範囲に対しての遮音性が高まるため、快適に遊戯できるパチンコ台を得ることができる。
【発明を実施するための最良の形態】
【００１２】
図１は本発明に係るパチンコ台用防音合わせガラスを備えたパチンコ台の概略図であり、図２は本発明の防音合わせガラスが使用されたパチンコ台用前面板の断面図である。
図１に示したように、パチンコ台１は遊戯盤２と操作部３からなり、遊戯盤２の前側に前面板４が備わる。操作部３にはパチンコ球を発射させる操作ハンドル５が備わる。前面板４は遊戯盤２に対して一方の側辺を回転支軸として開閉可能に取付けられる。図２に示したように、前面板４は四辺形の枠体６と外面板７及び内面板８からなり、枠体６の内周縁には溝９が連続的に形成され、外面板７と内面板８はこの溝９内にそれぞれ保持される。この外面板７と内面板８と、溝９の内壁間にはゴム等の弾性部材（不図示）が介装される。
【００１３】
内面板８は、外板１０と内板１１とを中間膜１２を介して貼り合わせて形成される合わせガラスである。前記中間膜は、１種類の組成からなる中間膜でも、厚さ方向に複数の組成の異なる中間膜を重ね合わせた多層構造の中間膜であってもよい。
【００１４】
図３は人間の耳に聴こえる音の大きさの等感曲線を示すグラフである。
グラフ中央部の破線で囲んだ範囲は人間の音声に使われている範囲であり、この範囲内の音は、人間には同じ大きさに聴こえる。したがって、人間の耳に聴こえる音は周波数によって感度が違い、低い周波数ほど大きな音圧レベルでないと聴こえにくいことがわかる。逆に、４ＫＨｚ周辺は小さな音圧レベルでも聞き取られ、人間の耳の感度が高い周波数であることが言える。
【００１５】
図４は衝突音測定装置の概略図である。
パチンコ球１３が内面板８に衝突するときの衝突音を衝突音測定装置１４を用いて測定した。測定装置１４は室１５内に矩形枠体の枠体１６を配して構成される。枠体１６の内周縁には溝が形成され、この溝で内面板８を保持する。この保持は現状のパチンコ台の保持状態に極力近い状態で保持する。枠体１６の上辺にはパチンコ球１３が糸１７を介して取付けられる。内面板８の背面（パチンコ球１３の反対側）には衝突音を測定する集音マイク１８が備わる。
【００１６】
衝突音の測定は、パチンコ球１３を内面板８の斜め上方に持ち上げて、振り子式にて矢印Ｒ方向に落下させて内面板８に衝突させ、この音をマイク１８で拾い、測定器１９で測定して行った。このとき、パチンコ球１３の落下高さＨは３０ｍｍとし、内面板８とマイク１８との距離Ｄは５０ｍｍとした。また、内面板８は室温２１度の室１５内に２４時間放置したものを用いた。この測定装置を用いて、以下の図５及び図６の測定結果を得た。
【００１７】
図５は合わせガラスを透過する音圧レベルを中間膜の厚さごとに示すグラフである。
グラフに示すように、周波数１ＫＨｚ〜１０ＫＨｚ（矢印Ｗで示す部分）では、中間膜の厚さが厚いほうが合わせガラスを透過する音圧レベルが低い。すなわち、合わせガラスの遮音性が高いことがいえる。しかし、０．７６ｍｍ（３０ｍｉｌ）以上の厚さではその結果に差異があまり目立たないため、中間膜の加工性、経済性を考慮して０．７６ｍｍ（３０ｍｉｌ）が適当であることがいえる。なお、ここで使用した合わせガラスは、板厚３．０ｍｍのガラス板をＰＶＢ（ポリビニルブチラール樹脂）からなる中間膜で貼り合わせたものを用いた。
【００１８】
次に、中間膜を０．７６ｍｍ（３０ｍｉｌ）として、板厚１．３ｍｍのガラス板を貼り合わせた合わせガラス、及び板厚３．０ｍｍのガラス板を貼り合わせた合わせガラスの４ＫＨｚにおける音圧レベルを測定したところ、前者は９３．７ｄＢ、後者は９６．７ｄＢであった。すなわち、貼り合わせるガラス板が薄いほうが遮音性がよいことが示された。
【００１９】
図６は衝突音レベルと周波数の関係を示すグラフである。
ここでは、板厚３ｍｍのフロート板ガラス（単板ガラス）と、板厚１．３ｍｍの２枚のガラス板を膜厚０．７６ｍｍ（３０ｍｉｌ）の中間膜で貼り合わせた合わせガラス、及び板厚３．０ｍｍの２枚のガラス板を膜厚０．３８ｍｍ（１５ｍｉｌ）の中間膜で貼り合わせた合わせガラスを用いて、図４に示す測定装置でパチンコ球の衝突音を測定した。グラフが示すように、２．５ＫＨｚ〜６．３ＫＨｚの範囲で１．３ｍｍのガラス板を貼り合わせた合わせガラスの方が衝突音レベルが低いことが示される。したがって、人間が敏感な周波数帯域、特に４ＫＨｚでの遮音性を高めることができる。
【００２０】
ここで使用した合わせガラスの中間膜はガラス板に平行な多層構造の中間膜であり、この多層構造の中間膜は衝突時の振動を分散するため、ＰＶＢからなる中間膜よりも衝突音レベルを低減することが知られている。このような中間膜として、例えば積水化学工業株式会社製  エスレック・アコースティック・フィルム（Ｓ−ＬＥＣ  Ａｃｏｕｓｔｉｃ  Ｆｉｌｍ  登録商標）を用いることができる。
【００２１】
このように本発明に係るパチンコ台用前面板は、内面板として上述した板厚１．３ｍｍのガラス板を膜厚０．７６ｍｍ（３０ｍｉｌ）の多層構造中間膜を介して貼り合わせた合わせガラスを用いるため、人間の耳の感度がよい周波数帯域での遮音性を高めることができる。また、合わせガラス全体の厚さが約３．３５ｍｍであるため、既存の前面板の枠体に形成された溝に取り付けることができる。また、パチンコ球が衝突しても、合わせガラスであるため、万一ガラスが破損しても、その破片が飛散しない。
【産業上の利用可能性】
【００２２】
本発明は、パチンコ台用の前面板として適用可能であり、その他ガラス面に小物体が衝突する場合に用いるガラス板として好適に使用可能である。
【図面の簡単な説明】
【００２３】
【図１】本発明に係るパチンコ台用防音合わせガラスを備えたパチンコ台の概略図。
【図２】本発明の防音合わせガラスが使用されたパチンコ台用前面板の断面図。
【図３】人間の耳に聴こえる音の大きさの等感曲線を示すグラフ。
【図４】衝突音測定装置の概略図。
【図５】合わせガラスを透過する音圧レベルを中間膜の厚さごとに示すグラフ。
【図６】衝突音レベルと周波数の関係を示すグラフ。
【符号の説明】
【００２４】
１：パチンコ台、２：遊戯盤、３：操作部、４：前面板、５：操作ハンドル、６：枠体、７：外面板、８：内面板、９：溝、１０：外板、１１：内板、１２：中間膜、１３：パチンコ球、１４：衝突音測定装置、１５：室、１６：枠体、１７：糸、１８：マイク、１９：測定器。
【図１】
2005255459.tif 000003
【図２】
2005255459.tif 000004
【図３】
2005255459.tif 000005
【図４】
2005255459.tif 000006
【図５】
2005255459.tif 000007
【図６】
2005255459.tif 000008